(57)【要約】【課題】連続紙プリンタの制約事項を回避するために挿入された白紙頁か否かを判断し、プリンタ定期交換部品の寿命と、実運用における寿命のずれを抑え、プリンタ定期交換部品費用と印刷頁にかかった費用の採算が合うようにする。【解決手段】連続紙プリンタの全ての白紙を課金対象外にするのでなく、高密度・高品位印刷が含まれる頁の再定着を回避するための、制約事項回避目的に挿入された白紙頁のみ課金対象から外し、それ以外の白紙頁を課金対象とする。【選択図】図２
2009083160.tif 000002
【特許請求の範囲】
【請求項１】
内部に熱源を有する加熱ローラと、前記加熱ローラに対し圧接目的に設けられた加圧ローラとで構成され、前記加熱ローラと前記加圧ローラが圧接し、印刷用紙を挟持搬送することで、前記印刷用紙上に形成されたトナー像を前記印刷用紙に定着させる手段の定着装置を有し、前記加熱ローラと前記加圧ローラを圧接解除する際、直後に控えている印刷ジョブの開始に備えて前記印刷用紙を印刷開始位置まで逆走させ、前記直後に控えている印刷ジョブの印刷開始時に、前記加熱ローラと前記加圧ローラを圧接した後、前記印刷用紙を搬送し、開始し、既に定着処理が行われた前記印刷用紙の一部分に、再定着処理を行う連続紙プリンタの制御処理装置において、高密度・高品位印刷指示を含む印刷頁を印刷する際、前記印刷頁が再定着されることを防ぐ目的で挿入された白紙頁を、課金の対象から外し、前記白紙頁以外は課金の対象として処理することを特徴とする連続紙プリンタの制御処理装置。
【発明の詳細な説明】
【技術分野】
【０００１】
本発明は、連続紙プリンタの制御処理装置に関するものである。
【背景技術】
【０００２】
従来技術の連続紙プリンタの定着装置は、内部にヒータ等の熱源を有する加熱ローラと、その加熱ローラに対し圧接可能に設けられた加圧ローラとで構成される。この定着装置の加熱ローラと加圧ローラが圧接し、印刷用紙を挟持搬送することで、印刷用紙上に転写されたトナー像を印刷用紙に定着させる。そして、加熱ローラと加圧ローラを圧接解除する際、印刷用紙上に形成されたトナー像の剥落や、トナー像の濃淡の不均一を抑えるために、印刷用紙は用紙長端まで定着させた後に圧接を解除され、次ジョブの印刷開始に備えて印刷用紙を印刷開始位置まで逆走される。この次ジョブの印刷開始時に、加熱ローラと加圧ローラを圧接した後、印刷用紙を搬送し、印刷開始する為、既に定着処理が行われた用紙の一部分が、再定着処理を行われていた。その再定着処理をする際、印刷用紙の搬送速度が遅いため、印刷用紙の再定着処理領域の先端部分は、規定よりも長い時間、高温且つ高圧下で圧接処理が行われる。そのため、印刷用紙の再定着処理領域の先端部分は、印刷イメージは規定線幅より太く、歪む傾向がある。また、印刷された用紙で再定着が行われた部分とそうでなかった部分とでは、トナー濃淡差がみられるという課題があった。
【０００３】
なお、上述した課題は、特許文献１（特開平１０−０９１０５１号公報）で挙げられている。
【０００４】
そして近年は、例えばＪＩＳ規格ＪＩＳ−Ｘ−０５０４におけるコード１２８（ＵＣＣ／ＥＡＮ−１２８）バーコード印刷といった高密度バーコード印刷や、ＪＩＳ−Ｘ−９００１におけるＯＣＲ−Ｂ印刷といった光学読み取り文字印刷が挙げられるように、高密度・高品位印刷が可能である連続紙プリンタが主流となってきている。この高密度・高品位を要する印刷においては、上述したような再定着処理を行う際に印刷用紙にみられる、印刷イメージ太りや歪み、再定着が行われた部分とそうでなかった部分でトナー濃淡差がみられることが従来技術では考えられなかった課題として取り上げられる。
【０００５】
上記の課題に対し、高密度・高品位印刷指示を含む印刷頁が、再定着処理部にて印刷停止しないように、ユーザは高密度・高品位印刷指示を含む印刷頁の後に、余分な白紙頁を挿入することで、印刷データの加工による運用で高密度・高品位印刷指示を含む印刷頁の印刷を行わなければならなかった。この再定着処理部にて印刷停止しないように挿入された白紙頁は、プリンタの制約事項を回避するために不可欠な白紙頁とされているため、プリンタの保守サービス会社は、このプリンタの制約事項を回避するために不可欠な白紙頁を課金対象にすることはできないとされている。
【０００６】
ところで従来の、プリンタ、複写機およびファックス機能等を備える情報処理装置での課金方法は、印刷イメージの内容には無関係に、全ての印刷物に対して課金対象としており、白紙頁に関しても例外ではなかった。しかし、全ての印刷物に対して課金を行っているため、印刷を目的としない仕切り用の白紙頁に対しても課金されるため、ユーザに快適なサービスを提供することができないという課題があった。
【０００７】
上述した課題に対し、特許文献２（特開２００４−１３９４６５号公報）は、印刷ジョブに含まれる全ての白紙頁の課金は行わないという、白紙無課金方式を開示している。
【０００８】
【特許文献１】特開平１０−０９１０５１号公報
【特許文献２】特開２００４−１３９４６５号公報
【発明の開示】
【発明が解決しようとする課題】
【０００９】
しかしながら、特許文献２に記載するように、全ての白紙頁を課金対象から外した場合は、プリンタの制約事項を回避する以外の目的で挿入された白紙頁が大量に印刷されてしまうと、印刷した頁数に応じてプリンタ定期交換部品も磨耗するため、本来規定したプリンタ定期交換部品の寿命に対し、実運用における寿命が短くなり、プリンタ定期交換部品費用と印刷頁にかかった費用とでの採算が合わなくなるという課題が解決されない。だが、その一方で、高密度・高品位印刷指示を含む印刷頁が連続紙プリンタの再定着処理部にて印刷停止しないように挿入された白紙頁は、プリンタの制約事項を回避するために不可欠なものであるため、課金対象にすることができない。
【００１０】
本発明の目的は、連続紙プリンタの制約事項を回避するために挿入された白紙頁のみ課金対象から外し、それ以外の白紙頁を課金対象とすることで、プリンタ定期交換部品の寿命と、実運用における寿命のずれを抑え、プリンタ定期交換部品費用と印刷頁にかかった費用とでの採算が合うようにすることである。
【課題を解決するための手段】
【００１１】
上記課題を達成するため本発明は、内部に熱源を有する加熱ローラと、前記加熱ローラに対し圧接目的に設けられた加圧ローラとで構成され、前記加熱ローラと前記加圧ローラが圧接し、印刷用紙を挟持搬送することで、前記印刷用紙上に形成されたトナー像を前記印刷用紙に定着させる手段の定着装置を有し、前記加熱ローラと前記加圧ローラを圧接解除する際、直後に控えている印刷ジョブの開始に備えて前記印刷用紙を印刷開始位置まで逆走させ、前記直後に控えている印刷ジョブの印刷開始時に、前記加熱ローラと前記加圧ローラを圧接した後、前記印刷用紙を搬送し、開始し、既に定着処理が行われた前記印刷用紙の一部分に、再定着処理を行う連続紙プリンタの制御処理装置において、高密度・高品位印刷指示を含む印刷頁を印刷する際、前記印刷頁が再定着されることを防ぐ目的で挿入された白紙頁を、課金の対象から外し、前記白紙頁以外は課金の対象として処理することを特徴としている。
【発明の効果】
【００１２】
本発明である連続紙プリンタの制御処理装置によれば、プリンタの制約事項回避のために挿入された白紙頁か否かで異なっていた、プリンタ定期交換部品費用と印刷頁にかかった費用との採算を合わせることが可能となる。
【発明を実施するための最良の形態】
【００１３】
白紙頁がプリンタの制約事項を回避するのためであるか否かを判定するという目的を、部品追加やメカ機構の変更を伴わず、プリンタ内にある制御処理装置のソフトウェアを変更することで実現する。以下、制御処理装置をコントローラと記載する。
【００１４】
図１は、本発明の一実施例による連続紙プリンタの定着装置周辺を示したものである。
【００１５】
印刷用紙１は、感光ドラム２によってトナー像を転写され、用紙搬送トラクタ３によって定着部へ運ばれる。定着処理は、定着部に備えられている、内部に熱源を備え且つ熱を用紙に加える加熱ローラ４と、加熱ローラ４と対となり且つ圧力を用紙に加える加圧ローラ５が圧接することにより、印刷用紙に転写されたトナー像が固着される。
【００１６】
また、６は印刷停止状態から印刷を開始する際の印刷開始点、７は印刷停止状態から定着を開始する際の定着開始点である。また、Ｌ１は印刷開始点６から定着開始点７までの距離、Ｌ２は加熱ローラ４と加圧ローラ５を圧接解除した後に、次印刷の開始に備えて印刷用紙１を印刷開始点６まで逆走させた時の用紙逆送距離であり、また、Ｌ３は印刷用紙１の一頁当たりの用紙長である。
【００１７】
そして、この用紙逆送距離Ｌ２が再定着処理を行う領域であり、その領域の特に先端部分の印刷イメージが規定線幅より太く、歪む傾向がある。そして、再定着処理を行う場合、高密度・高品位指示が含まれている頁を印刷する際、この頁の高密度・高品位指示の領域が再定着されることを防ぐために、この頁の後に、ユーザによって白紙頁が挿入されるとする。この白紙頁だけを、コントローラが、課金対象外にする処理方法について、図２に示す。
【００１８】
図２は、本発明の連続紙プリンタの印刷処理および課金カウンタ加算処理フローである。
【００１９】
なお、本発明でいう高密度・高品位指示印刷とは、ＪＩＳ規格ＪＩＳ−Ｘ−０５０４におけるコード１２８（ＵＣＣ／ＥＡＮ−１２８）バーコード印刷といった高密度バーコード印刷や、ＪＩＳ−Ｘ−９００１におけるＯＣＲ−Ｂ印刷といった光学読み取り文字印刷が挙げられる。高密度バーコード印刷とは、黒い線の一本の幅が０．１ｍｍ〜１ｍｍぐらいのものが並んでできたバーコードを印刷したものである。また、ＯＣＲ−Ｂ印刷とは、高さ３ｍｍ、幅２ｍｍのマスの中に、線幅が０．２ｍｍの文字を印刷したものである。
【００２０】
コントローラが、印刷ジョブを受信した場合、図２のＳ１００において、印刷ジョブ内の用紙長Ｌ３指定コマンドを解析し、図１の印刷開始点６から定着開始点７までの距離Ｌ１内に含まれる印刷用紙の枚数ΔＡを算出する。ここでΔＡは、ΔＡ≒Ｌ１／Ｌ３で示され、且つ自然数に切り上げられた数値であるとする。また、残頁数ＢをＢ＝ΔＡと設定する。高密度・高品位印刷指示が含まれる印刷頁はその品質を保証するため、印刷処理が行われた後、この頁数ΔＡを超える頁枚数分の用紙を連続搬送する必要があることから、高密度・高品位印刷指示を含む印刷頁を検出した後は、コントローラによって、その頁と頁数ΔＡが監視される。なお、このＳ１００では、課金対象外フラグおよび高密度・高品位頁有りフラグはＯＦＦになっている。また、課金カウンタは０になっている。
【００２１】
次に、Ｓ１０１にて１頁分のイメージデータを生成する。生成後、Ｓ１０２に移り、生成した１頁分のイメージデータ内に高密度・高品位印刷指示があるか否かを判断する処理が行われる。このとき、生成した１頁分のイメージデータ内に、高密度・高品位印刷指示がある場合はＳ１０３へ移行する。一方、生成した１頁分のイメージデータ内に、高密度・高品位印刷指示がない場合は、Ｓ１０９に移行することになる。
【００２２】
先ず、Ｓ１０２からＳ１０３へ移行した場合について説明する。Ｓ１０３では、高密度・高品位頁ありのフラグをＯＮにする処理を行う。また、頁数ΔＡから１頁分の値を減算した値を残頁数Ｂとして再定義する。なお、ここで残頁数Ｂの値が０になれば、高密度・高品位印刷指定を含む頁が、用紙逆送距離Ｌ２を超えることを示し、印刷停止後の次ジョブ印刷開始、または、未定着頁の定着処理開始時に行われる再定着処理の影響を受けない位置で当該頁は、印刷を停止する。Ｓ１０３の処理が終了したら、Ｓ１０４に移行する。
【００２３】
一方、Ｓ１０２からＳ１０９に移行した場合について説明する。Ｓ１０９では、Ｓ１０１で生成した１頁分のイメージデータが、白紙で且つ高密度・高品位頁ありフラグがＯＮになっているか否かを判定する処理を行う。もしこの条件を満たす（Ｙｅｓ）ならば、Ｓ１１０に移行し、課金対象外フラグをＯＮに設定する。Ｓ１１０からＳ１１１に移行し、Ｓ１１１で残頁数Ｂから１頁分の値を減算した値を残頁数Ｂとして再定義する。しかし、Ｓ１０９で条件を満たさない（Ｎｏ）ならば、Ｓ１０９からＳ１１１に直接移行することになる。Ｓ１１１での処理終了後は、Ｓ１０４に移行する。
【００２４】
そして、Ｓ１０４では、残頁数Ｂが０以下か否か判定する処理を行う。ここで、残頁数Ｂが０以下（Ｙｅｓ）ならば、Ｓ１０５に移行し、高密度・高品位頁有りフラグをＯＮにする処理を行う。Ｓ１０５での処理終了後、Ｓ１０６に移行する。一方、Ｓ１０４で、残頁数Ｂが０より大きい（Ｎｏ）ならば、Ｓ１０４での処理終了後、Ｓ１０６に直接移行する。
【００２５】
また、Ｓ１０６では、課金対象外フラグが解除（ＯＦＦ）されているか否かを判定する処理を行う。このとき、課金対象外フラグが解除（ＯＦＦ）されているならば、Ｓ１０７に移行し、課金カウンタに１が加算処理され、その後、Ｓ１０８に移行する。一方で、Ｓ１０６で課金対象外フラグがＯＮになっている場合は、Ｓ１１２に移行する。そして、Ｓ１１２で課金対象外フラグが解除（ＯＦＦ）され、その後、Ｓ１０８に移行する。
【００２６】
そして、Ｓ１０８にて、作成した全ての頁のイメージデータの解析を終了させているか否かを判定する処理を行う。解析が終了しているならば、Ｓ１１３に移行するが、そうでなければ再びＳ１０１に戻り、次の印刷頁を判定処理していく。
【００２７】
Ｓ１１３では、残頁数Ｂの値が０より大きいか否かを判定する処理を行う。このとき、残頁数Ｂの値が０より大きければ（Ｙｅｓ）、Ｓ１１４に移行する。そして、Ｓ１１４では、残頁数Ｂ分の白紙頁を生成後に、残頁数Ｂの値を改めて０と定義する処理を行う。その後、Ｓ１１５に移行し、高密度・高品位頁ありのフラグが解除（ＯＦＦ）される。そして、Ｓ１１６に移行し、生成した全ての頁を印刷する指示を送る。一方、Ｓ１１３で残頁数Ｂの値が、０以下（Ｎｏ）の場合は、Ｓ１１３での処理直後、Ｓ１１６に移行する。
【００２８】
なお、Ｓ１１３での判定によって、残頁数Ｂの値が０でない場合、高密度・高品位印刷指示を含む印刷頁が、プリンタの制約事項を回避できない位置で印刷停止することとなる。そのため、Ｓ１１４にてコントローラは、残頁数Ｂの値分の白紙頁データを生成する。この処理フローによって、高密度・高品位印刷指示を含む印刷頁は、再定着処理の影響を受けない位置まで連続搬送され、且つその頁の後に挿入された白紙頁は課金カウンタで加算処理されない。
【００２９】
ここで、高密度・高品位印刷指示を含む印刷頁の後に白紙頁が挿入されていた場合について具体例を挙げて説明する。印刷ジョブは、１頁目が高密度・高品位印刷指示を含む印刷頁で、２頁目が白紙頁とし、コントローラが処理Ｓ１００で、頁数ΔＡ＝２、残頁数Ｂ＝２と処理したとする。先ず、Ｓ１０１で、１頁目は、高密度・高品位印刷指示を含むイメージデータが生成される。その後、Ｓ１０１からＳ１０２に移行し、ここで、１頁目は、生成されたイメージデータ内に高密度・高品位印刷指示を含む（Ｙｅｓ）と判断され、コントローラは、Ｓ１０３処理に移行する。そして、コントローラは高密度・高品位印刷頁ありフラグをＯＮにし、残頁数Ｂを再定義する。ここで、残頁数Ｂは１になる。その後、Ｓ１０３からＳ１０４に移行し、Ｓ１０４で残頁数Ｂは０以下でない（Ｎｏ）と判断され、コントローラは、Ｓ１０６処理に移行する。Ｓ１０６で１頁目は、課金対象外がＯＦＦである（Ｙｅｓ）と判断され、Ｓ１０７に移行し、１頁目は課金処理がされる。その後、Ｓ１０８に移行する。ここで、再びＳ１０１に戻り、２頁目を処理するとする。
【００３０】
２頁目は白紙であるため、Ｓ１０２で生成したイメージデータ内に高密度・高品位印刷指示が含まれない（Ｎｏ）と判定され、コントローラは、Ｓ１０９での判定処理に移行する。このＳ１０９のとき、白紙頁で且つ高密度・高品位印刷頁ありのフラグがＯＮになっていることから、この２頁目は、Ｓ１０９では制約事項回避のための白紙頁と判断される。その後、Ｓ１０９からＳ１１０に移行し、コントローラは課金対象外フラグをＯＮにする。その後、Ｓ１１１に移行する。Ｓ１１１で残頁数Ｂを減算したときＢ＝０になり、Ｓ１０４では、残頁数Ｂは０以下（Ｙｅｓ）なので、Ｓ１０５での処理は、高密度・高品位頁ありフラグを解除（ＯＦＦ）する。また、その後コントローラは、Ｓ１０６処理に移行するが、このとき、課金対象外フラグはＯＮになっているため、Ｓ１０６での判定処理後、Ｓ１１２に移行する。そして、Ｓ１１２で、再び課金対象外フラグを解除（ＯＦＦ）し、Ｓ１０８の判定処理が行われる。つまり、コントローラがＳ１０７での処理を行うことがないから、２頁目は課金されない。
【００３１】
上述した具体例とは逆に、プリンタの制約事項を回避する目的でない白紙頁であった場合について説明する。
【００３２】
印刷ジョブは、１頁目が高密度・高品位印刷指示以外のイメージデータの印刷頁で、２頁目が白紙頁とし、コントローラが処理Ｓ１００で、頁数ΔＡ＝２、残頁数Ｂ＝２と処理したとする。先ず、Ｓ１０１で、１頁目は、高密度・高品位印刷指示を含むイメージデータではないものが生成される。その後、Ｓ１０１からＳ１０２に移行し、ここで、１頁目は、生成されたイメージデータ内に高密度・高品位印刷指示を含まない（Ｎｏ）と判断され、コントローラは、Ｓ１０９処理に移行する。そして、このＳ１０９で１頁目は、白紙でもなく高密度・高品位頁有りフラグもＯＦＦであるから、条件を満たしていないものと（Ｎｏ）判断され、コントローラは、Ｓ１１１処理に移行する。このＳ１１１のとき、残頁数Ｂは１になる。その後、Ｓ１１１からＳ１０４に移行し、Ｓ１０４で残頁数Ｂは０以下でない（Ｎｏ）と判断され、コントローラは、Ｓ１０６処理に移行する。Ｓ１０６で１頁目は、課金対象外がＯＦＦである（Ｙｅｓ）と判断され、Ｓ１０７に移行し、１頁目は課金処理がされる。その後、Ｓ１０８に移行する。ここで、再びＳ１０１に戻り、２頁目を処理するとする。
【００３３】
２頁目は白紙であるため、Ｓ１０２で生成したイメージデータ内に高密度・高品位印刷指示が含まれない（Ｎｏ）と判定され、コントローラは、Ｓ１０９での判定処理に移行する。この２頁目は、白紙頁であるものの、高密度・高品位印刷頁ありのフラグがＯＦＦになっていることから、Ｓ１０９では制約事項回避目的以外の白紙頁と判断される。その後、コントローラは、Ｓ１１１処理に移行する。Ｓ１１１で残頁数Ｂを減算したときＢ＝０になり、Ｓ１０４では、残頁数Ｂは０以下（Ｙｅｓ）なので、Ｓ１０５での処理は、高密度・高品位頁有りフラグを解除（ＯＦＦ）する。また、その後コントローラは、Ｓ１０６処理に移行するが、このとき、課金対象外フラグはＯＦＦになっているため、Ｓ１０６での判定処理後、Ｓ１０７に移行する。そして、２頁目は、Ｓ１０７で課金処理される。その後、Ｓ１０８の判定処理に移行する。つまり、同じ白紙頁でも、Ｓ１０７で課金処理されることになる。
【００３４】
上述したように、本発明の特徴は、連続紙プリンタの制約事項を回避するために挿入された白紙頁のみ課金対象から外し、それ以外の白紙頁を課金対象と判断することである。
【００３５】
なお、上述した白紙頁は、上位ホストのアプリケーションやプリンタドライバが生成したものや、ユーザが上位ホストやプリンタを操作して手動で挿入した白紙頁などの生成方法には依存せず、高密度・高品位印刷指示を含む印刷頁と白紙頁の挿入位置を元に課金対象の有無を決定することが可能である。
【００３６】
また、上記の実施例ではＳ１０９において白紙頁を対象に課金カウンタの加算有無を判断しているが、この頁は白紙頁に限らず、上位ホストからの課金カウンタの加算有無を規定した印刷コマンドに置き換えても、本発明によって処理可能である。
【００３７】
本発明は、上述した処理方法によって、プリンタの制約事項を回避するために挿入された白紙頁は、課金の対象とならず、また、それ以外の目的で挿入された白紙頁は課金の対象と選別でき、全ての白紙頁が一律に課金対象となることを回避することができる。
【産業上の利用可能性】
【００３８】
特定の条件によって課金対象を選択できることから、特定の印刷イメージを選別して課金対象の有無を設定するなどの用途にも適用できる。
【図面の簡単な説明】
【００３９】
【図１】本発明の実施例による連続紙プリンタの定着装置周辺の概略図。
【図２】本発明の実施例による連続紙プリンタの印刷処理および課金カウンタ加算処理フローチャート。
【符号の説明】
【００４０】
１…印刷用紙、２…感光ドラム、３…用紙搬送トラクタ、４…加熱ローラ、５…加圧ローラ、６…印刷開始点、７…定着開始点、Ｌ１…印刷開始点６から定着開始点７までの距離、Ｌ２…印刷停止時に印刷用紙１を印刷開始点６まで逆走させた時の用紙逆送距離（再定着処理領域）、Ｌ３…印刷用紙１頁分の長さ。
【図１】
2009083160.tif 000003
【図２】
2009083160.tif 000004